(57)【要約】【課題】  再編集が容易な画像編集方法を提供する。【解決手段】  編集前の動画データのフレームと、複数の合成用画像から選択された１つの合成用画像の画像データのフレームとの差分を求めるステップ９０３と、１つの合成用画像を指定する情報、および差分に関する情報を電子透かしデータに変換するステップ９０５とを設ける。編集前の動画データのフレームのうち、１つの合成用画像が位置するブロックに、電子透かしデータを合成するステップ９０６と、このステップ９０６により電子透かしデータの合成された動画データを編集結果として出力するステップとを設ける。【選択図】  図２
2009290413.tif 000002
【特許請求の範囲】
【請求項１】
ユーザの指示にしたがって、複数の合成用画像から合成用画像を選択する第１のステップと、
編集前の動画データのフレームと、上記選択された合成用画像のフレームとの差分を求める第２のステップと、
上記差分に関する情報を利用して上記選択された合成用画像を指定する情報を電子透かしデータに変換する第３のステップと、
上記編集前の動画データのフレームのうち、上記選択された合成用画像が位置する領域に、上記電子透かしデータを合成する第４のステップと、
この第４のステップにより上記電子透かしデータの合成された動画データを編集結果として出力する第５のステップと
を有する画像編集方法。
【請求項２】
請求項１に記載の画像編集方法において、
上記第５のステップにより出力された動画データから、上記電子透かしデータを取り出す第６のステップと、
この第６のステップにより取り出された上記電子透かしデータから、上記選択された合成用画像を指定する情報を取り出す第７のステップと、
この第７のステップにより取り出された情報により、上記複数の合成用画像から上記選択された合成用画像の画像データを取り出す第８のステップと、
この第８のステップにより取り出された合成用画像の画像データを、上記第５のステップにより出力された動画データに合成して編集後の動画データとして出力する第９のステップと
を有する画像編集方法。
【請求項３】
複数の合成用画像の画像データを有するコンテンツ記憶部と、
このコンテンツ記憶部からユーザの指定した合成用画像の画像データを取り出すとともに、この取り出した合成用画像の画像データのフレームと、編集前の動画データのフレームとの差分を求める差分情報抽出部と、
上記差分に関する情報を利用して上記コンテンツ記憶部から取り出した合成用画像の画像データを指定する情報を電子透かしデータに変換する電子透かし情報作成部と、
上記編集前の動画データのフレームのうち、上記コンテンツ記憶部から取り出した合成用画像が位置する領域に、上記電子透かしデータを合成する電子透かし処理部と、
この電子透かし処理部により上記電子透かしデータの合成された動画データを編集結果として出力する出力部と
を有する画像編集装置。
【請求項４】
請求項３に記載の画像編集装置において、
相手機あるいは自機における上記出力部により出力された動画データから、上記電子透かしデータを取り出して解析する電子透かし解析部と、
この電子透かし解析部により取り出された上記電子透かしデータから、上記コンテンツ記憶部から取り出した合成用画像を指定するスタイル情報取得部と、
このスタイル取得部により取り出された情報により、上記コンテンツ記憶部から上記スタイル情報取得部により指定された合成用画像の画像データを選択するテンプレート部と、
このテンプレート部により選択された合成用画像の画像データを、上記出力部により出力された動画データに合成して編集後の動画データとして出力する別の出力部と
を有する画像編集装置。
【発明の詳細な説明】
【技術分野】
【０００１】
この発明は、画像編集方法および画像編集装置に関する。
【背景技術】
【０００２】
画像編集システムによれば、アマチュアでも、自分の撮影した動画から気に入ったフレームだけをクリップし、そのクリップした動画に、あらかじめ用意してあるタイトルなどの文字や小さな画像（飾り模様、静止画や動画など）を合成して新たな動画を作成することが可能となっている。さらに、そのようにして作成した動画を携帯電話機などのメール機能により友人などに送信することも可能となっている。
【０００３】
なお、以下の説明においては、オリジナルの動画に合成されるタイトルなどの文字や小さな画像を「スタイル画像」と呼び、このスタイル画像の複数種をあらかじめ用意したものを「テンプレート」と呼ぶものとする。
【０００４】
また、先行技術文献として例えば以下のものがある。
【特許文献１】特開２０００−３５０１５９号公報
【発明の開示】
【発明が解決しようとする課題】
【０００５】
ところが、一般の画像編集システムにおいては、編集前のメインの動画に、スタイル画像を直接に合成しているので、その編集後の動画を再編集するとき、もとのスタイル画像がじゃまになることがある。
【０００６】
これを避けるためには、
・編集前の動画データを、送信側のユーザから送信してもらい編集する。  
・編集前の動画データを、共有のサーバからダウンロードして編集する。  
など方法がある。しかし、これらの方法では手間や制限がかかってしまう。
【０００７】
また、送信側のユーザが編集時に利用したスタイル画像のテンプレートを、再編集するユーザ（受信側のユーザ）が所有していない場合には、送信側ユーザにテンプレートあるいはそのテンプレートを指定する情報を送信してもらう必要がある。
【０００８】
さらに、送信側のユーザが自動編集を利用した場合には、その自動編集に使用されたテンプレートに含まれる情報を解釈し、編集に使用されたすべての画像を、再編集するユーザに送信してもらう必要があり、多大な手間がかかってしまう。
【０００９】
この発明は、以上のような問題点を解決しようとするものである。
【課題を解決するための手段】
【００１０】
この発明においては、
ユーザの指示にしたがって、複数の合成用画像から合成用画像を選択する第１のステップと、
編集前の動画データのフレームと、上記選択された合成用画像のフレームとの差分を求める第２のステップと、
上記差分に関する情報を利用して上記選択された合成用画像を指定する情報を電子透かしデータに変換する第３のステップと、
上記編集前の動画データのフレームのうち、上記選択された合成用画像が位置する領域に、上記電子透かしデータを合成する第４のステップと、
この第４のステップにより上記電子透かしデータの合成された動画データを編集結果として出力する第５のステップと
を有する画像編集方法
とするものである。
【発明の効果】
【００１１】
この発明によれば、編集前の動画に、スタイル画像を指定する情報を電子透かしの状態で付加し、その電子透かし入りの動画を編集結果としている。したがって、編集後の動画を再編集するとき、編集前の動画データを、送信側のユーザから送信してもらったり、共有のサーバからダウンロードしたりする必要がなく、手間や時間のかかることがない。
【００１２】
また、その電子透かしはスタイル画像が表示される領域（ブロック）に含ませるようにしているので、電子透かしによる画質の低下の目立つことが少なくなる。
【００１３】
さらに、送信側のユーザが編集時に利用したスタイル画像のテンプレートを、受信側のユーザが使用する場合も、送信側ユーザにテンプレートあるいはそのテンプレートを指示する情報を送信してもらう必要がない。
【発明を実施するための最良の形態】
【００１４】
〔１〕  この発明のアウトライン
ここでは、この発明を送受信機に適用した場合により説明する。
【００１５】
〔１−１〕  送信側（前処理）
図１は、送信側のユーザが編集を行う場合の処理内容および過程を、その編集画面（フレーム）により示す。
【００１６】
すなわち、図１Ａは、編集前の動画のうちの任意のフレームＦORGを示し、図１Ｂは、そのフレームＦORGに合成されるスタイル画像のフレームＦSTLを示す。この場合、図１Ａにおいては、フレームＦORGを、３行４列のブロック（領域）ＢORGに分割することを想定しているものであり、そのブロックＢORGの境界を細線により示している。
【００１７】
また、合成されるスタイル画像は、簡単のため静止画であり、図１Ｂに示すフレームＦSTLは、画面右上および左下に記号ＭSTL（図１Ｂにおいては、ハートマーク）を有する場合である。この記号ＭSTLが、本来の（正味の）スタイル画像である。このスタイル画像の画像データは、後述するように、自機のコンテンツ記憶部に用意されている。
【００１８】
そして、図１Ｃに示すように、動画のフレームＦORGに、スタイル画像のフレームＦSTLが、例えばオーバーレイ方式により合成され、最終的な（編集後の）フレームＦOVLとされる。次に、図１Ｄに示すように、その合成後のフレームＦOVLと、編集前のフレームＦORGとの差分のフレームＦDIFが取り出される。
【００１９】
続いて、図１Ｄに示すように、差分のフレームＦDIFが、編集前のフレームＦORGのブロックＢORGと等しいサイズのブロックＢDIFに分割されるとともに、その分割されたブロックＢDIFのうち、図１Ｅに太線で囲ったブロックＢSTL、すなわち、差分のレベルが所定値を越えるブロックＢSTLが選択される。したがって、このブロックＢSTLは、スタイル画像のフレームＦSTL（図１Ｂ）を、編集前のフレームＦORGと等しいサイズでブロック化したとき、記号ＭSTLを含むことになるブロックを示している。
【００２０】
次に、図１Ｆに示すように、
(1) 編集前のフレームＦORGに合成されるスタイル画像（図１Ｂ）を指定する情報
(2) ブロックＢORGのサイズを示す情報
(3) 太線で囲ったブロックＢSTLの位置を示す情報
などを含む編集用情報ＩEDTが形成されるとともに、この編集用情報ＩEDTが電子透かしデータＤEDTに変換される。
【００２１】
続いて、図１Ｇに示すように、編集前の動画のフレームＦORGのブロックＢORGのうち、記号ＭSTLが位置するブロックのうち、所定のブロック（斜線を図示）に、その電子透かしデータＤEDTが合成され、編集結果の動画フレームＦOBJとして取り出される。この場合、電子透かしデータＤEDTが合成されるブロックは、電子透かしデータＤEDTの情報量や他のフレームの差分情報を加味し、記号ＭSTLが位置するブロックのうち、必要最小限のブロック（図１Ｇでは、斜線のブロック）とされる。そして、図１Ｈに示すように、この編集結果のフレームＦOBJの画像データが、相手の携帯電話機へとメール機能により送信され、あるいは自機の記憶部に保存される。
【００２２】
そして、以上の処理が編集前の動画のフレームＦORGごとに実行される。すなわち、スタイル画像のフレームＦSTLを示す電子透かしデータＤEDTが、動画のフレームＦOBJ（図１Ｇ）に合成されて、フレームごとに順次送信され、あるいは保存される。つまり、スタイル画像についての電子透かしデータＤEDTが合成された動画データが送信され、あるいは記憶される。
【００２３】
図２は、以上の処理を、マイクロコンピュータにより実行するときのフローチャートを示す。まず、ステップ９０１において、編集前の動画データのフレームＦORGおよびスタイル画像のフレームＦSTLが選択され（図１Ａ、Ｂ）、次にステップ９０２において、ステップ９０１により選択されたフレームＦORG、ＦSTLがオーバーレイされてフレームFOVLが形成される（図１Ｃ）。
【００２４】
続いて、ステップ９０３において、両フレームＦORG、ＦSTLの差分のフレームＦDIF（図１Ｄ）から差分が求められ、ステップ９０４において、その差分のレベルが所定値を越えるブロックＢSTLが選択される（図１Ｅ）。次に、ステップ９０５において、編集用の電子透かしデータＤEDT（図１Ｆ）が作成され、ステップ９０６において、その電子透かしデータＤEDTが合成されるブロック（図１Ｇでは、斜線のブロック）が決定される。
【００２５】
この合成先のブロックは、編集前の動画データのフレームＦORGのうち、ステップ９０４により選択されたブロックＢSTLのうち、必要最小限のブロックである。続いて、ステップ９０７において、ステップ９０６により決定されたブロックに、電子透かしデータＤEDTが合成され（図１Ｇ）、編集結果の動画フレームＦOBJとして取り出される。
【００２６】
そして、以上の処理が編集前の動画のフレームＦORGごとに実行され、電子透かしデータＤEDTが合成された動画のフレームＦOBJが順次送信され、あるいは保存される。
【００２７】
〔１−２〕  受信側（後処理）
受信側においては、上述した送信側とは相補の処理が実行される。すなわち、受信側においては、そのテンプレート記憶部に送信側と同じスタイル画像を有するテンプレートが用意される。
【００２８】
そして、〔１−１〕により送信されてきた、あるいは保存されている電子透かしデータＤEDTを有する動画のフレームＦOBJ（図１Ｇ）から、電子透かしデータＤEDTが取り出され、この取り出された電子透かしデータＤEDTが、上記(1)〜(3)項の情報に変換されて取り出される。続いて、記憶部において、その取り出された(1)〜(3)項の情報にしたがって、テンプレートからスタイル画像のフレームＦSTLが選択され、その画像データが取り出される。
【００２９】
次に、この取り出されたスタイル画像のフレームＦSTLが、送信されてきた動画のフレームＦOBJ（図１Ｇ）にオーバーレイ方式により合成され、例えば図１ＣのようなフレームＦOVLとされる。
【００３０】
そして、以上の処理が受信された動画のフレームＦOBJごとに実行され、したがって、受信側では、編集前の動画のフレームＦORGに、スタイル画像のフレームＦSTLが合成された動画、すなわち、編集後の動画が表示されることになる。
【００３１】
なお、電子透かし入り動画のフレームＦOBJ（図１Ｇ）から、電子透かしデータＤEDTを取り出すとき、その電子透かしデータＤEDTの形式によっては、その電子透かしデータＤEDTが含まれているブロックＢSTLが既知であることが要求される場合もある。その場合には、動画の画像データの先頭にヘッダを用意し、このヘッダに、電子透かしデータＤEDTの有無の情報や第１番目の動画フレームＦOBJにおけるブロックＢSTLのサイズ情報および位置情報を含ませておく。そして、以後は、１つ前のフレームＦOBJに次のフレームＦOBJにおける編集用情報ＩEDTを含ませておくことができる。
【００３２】
〔１−３〕  まとめ
上述のように、動画にスタイル画像を合成する場合、その編集前の動画に、スタイル画像を指定する情報を電子透かしの状態で付加し、その電子透かし入りの動画を編集結果としている。そして、その編集後の動画を表示するとき、編集前の動画に、電子透かしで指定されるスタイル画像を合成し、編集後の動画として表示している。
【００３３】
したがって、編集後の動画（実際には電子透かし入り動画）を再編集するとき、編集前の動画データを、送信側のユーザから送信してもらったり、共有のサーバからダウンロードしたりする必要がなく、手間や制限のかかることがない。
【００３４】
また、送信側のユーザが編集時に利用したスタイル画像のテンプレートを、再編集するユーザ（受信側のユーザ）が使用したい場合も、送信側ユーザにテンプレートあるいはそのテンプレートを指示する情報を送信してもらう必要がない。
【００３５】
さらに、送信側のユーザが自動編集を利用した場合には、その自動編集に使用されたテンプレートに含まれる情報を解釈したり、編集に使用されたすべての画像を、再編集するユーザに送信してもらったりする必要もなく、やはり手間のかかることがない。
【００３６】
また、その電子透かしはスタイル画像が表示される位置（ブロック）に含ませるようにしているので、電子透かしによる画質の低下の目立つことが少なくなる。さらに、編集後の動画データを共有サーバにアップロードすることにより、編集後の動画を多数のユーザが見ることができるとともに、編集前の動画を素材としてそれぞれのユーザが利用することもできる。
【００３７】
〔２〕  システムの構成例
〔２−１〕  スタイル画像およびテンプレート
図３は、スタイル画像およびテンプレートの構成例を示す。そして、図３Ａに示すように、テンプレート部１１０は、複数Ｎ個のスタイル情報１１１〜１１Ｎを有する。このスタイル情報１１ｋ（ｋ＝１〜Ｎ）は、第ｋ番目のスタイル画像を構成するために必要な情報をまとめたものである。
【００３８】
このため、図３の例においては、スタイル情報１１ｋは、
・スタイル名
・その継続時間
・画像データの名称
・音声データ（オーディオデータ）の名称
・動画データの名称
の情報を有する。
【００３９】
この場合、スタイル情報１１１〜１１Ｎのうち、最後のスタイル情報１１Ｎを除いたスタイル情報は、送受信機にあらかじめ用意されているものであり、最後のスタイル情報１１Ｎはユーザによる設定が可能とされているものである。なお、単に「画像」および「画像データ」と記した場合、静止画の画像およびその画像データを指すものとする。
【００４０】
そして、このスタイル情報１１ｋにより指定されるデータ（ファイル）が、図３Ｂに示すように、コンテンツ記憶部１２０に用意されている。このため、コンテンツ記憶部１２０は、画像コンテンツ部１２１、音声コンテンツ部１２２および動画コンテンツ部１２３を有し、これらコンテンツ部１２１〜１２３に、画像データ、音声データおよび動画データがそれぞれファイルとして記憶されている。なお、以下においては、これら画像データ、音声データおよび動画データを「コンテンツデータ」と呼ぶ。
【００４１】
そして、スタイル情報１１ｋにしたがってコンテンツ部１２１〜１２３のコンテンツデータがそれぞれ選択されて第ｋ番目のスタイル画像が構成される。例えば、テンプレート１１０の第１番目のスタイル情報１１１（スタイル名：ロマンチック）は、
時間：５ｓ
画像：花畑
音声：鳥のさえずり
動画：チョウチョウ
とされている。したがって、この第１番目のスタイル情報１１１は、画像コンテンツ部１２１の中から「花畑」の画像データ（画像ファイル）を選択し、音声コンテンツ部１２２の中から「鳥のさえずり」の音声データを選択し、動画コンテンツ部１２３の中から「チョウチョウ」を選択することになる。そして、この選択結果のデータにより第１番目のスタイル画像が構成されることになる。なお、この例の場合、スタイル画像の継続時間は５秒である。
【００４２】
したがって、図３に示すテンプレート部１１０およびコンテンツ記憶部１２０によれば、スタイル情報１１０ｋにしたがったスタイル画像となるデータを得ることができる。
【００４３】
〔２−２〕  画像編集システムの構成例
図４は、〔１〕で説明した編集およびその表示を実現できる画像編集システムの一例を示す。この例においては、画像編集システムが〔１−１〕および〔１−２〕において説明した送信および受信の機能を有するとともに、〔２〕において説明した方法によりスタイル画像となるデータを得る場合である。
【００４４】
すなわち、図４において、符号１００はその画像編集システムを全体として示し、符号３００は電話回線やインターネットなどのネットワーク、符号４００は相手の携帯電話機を示す。なお、この相手機４００も同様の画像編集システム１００を搭載しているものとする。
【００４５】
そして、画像編集システム１００は、上述のテンプレート部１１０およびコンテンツ記憶部１２０を有するとともに、動画データ記憶部１３０および電子透かし部１４０を有する。この場合、動画データ記憶部１３０は、編集前の動画データと、編集後の動画データと、電子透かし入りの動画データとを保存ないし記憶しておくものである。なお、これらの動画データに含まれるメタデータはメタデータ抽出部１３１により抽出される。
【００４６】
また、電子透かし部１４０は、差分情報抽出部１４１と、電子透かし情報作成部１４２と、電子透かし処理部１４３とを有する。差分情報抽出部１４１は、図１Ｄにおける差分のフレームＦDIFのデータを取り出すものであり、電子透かし情報作成部１４２は、その取り出された差分のフレームＦDIFのデータに関する上記(1)〜(3)項の情報を電子透かしデータに変換ＤEDT（図１Ｆ）に変換するものである。
【００４７】
さらに、電子透かし処理部１４３は、電子透かし情報作成部１４２から出力される電子透かしデータＤEDTを編集前の動画データ（図１Ａ）に合成するものである。なお、この電子透かし処理部１４０は、電子透かし制御部１４４によりそれぞれの動作および全体の動作が制御される。
【００４８】
また、この画像編集システム１００は、その全体の動作を制御して編集を実現する編集部１５０を有する。この編集部１５０はマイクロコンピュータにより構成され、編集や送受信などの各種の操作を行うための操作部１５１が接続されている。
【００４９】
さらに、編集部１５０には、編集前や編集後の動画やスタイル画像などの表示を制御する表示制御部１６１が接続されるとともに、この表示制御部１６１にＬＣＤ（Liquid Crystal Display）パネルなどにより構成された表示部１６２が接続されている。また、編集部１５０には、音声制御部１７１を通じてスピーカなどにより構成された音声出力部１７２が接続されている。
【００５０】
さらに、編集部１５０には、電子透かしデータの合成されたフレームＦOBJ（図１Ｇ）のデータなどを他の携帯電話機に送信するための送信部１８０が接続されている。
【００５１】
一方、主として〔１−２〕の処理を実行するため、画像編集システム１００は、受信部２１０、電子透かし解析部２２０およびスタイル情報取得部２３０を有する。この場合、受信部２１０は、他の携帯電話機から送られてきた編集結果の動画データを受信するものである。また、電子透かし解析部２２０は、その受信した動画データを解析して電子透かし情報のデータを出力し、スタイル情報取得部２３０は、電子透かし情報にしたがってテンプレート部１１０におけるスタイル情報ｋを指定するものである。
【００５２】
〔２−３〕  画像編集システムの動作
〔２−３−１〕  送信時の処理
ユーザが操作部１５１を操作すると、編集部１５０により動画データ記憶部１３０が制御され、編集対象の動画データ、すなわち、編集前の動画データ（例えば、図１Ａ）が選択され、この選択された編集前動画データが、編集部１５０に供給される。また、その編集前の動画データがメタデータ抽出部１３１に供給されてメタデータが抽出され、この抽出されたメタデータが編集部１５０に供給される。
【００５３】
さらに、操作部１５１の操作にしたがって、編集部１５０によりテンプレート部１１０が制御され、編集前の動画データに合成されるスタイル画像を指定するスタイルｋが選択され、この選択されたスタイルｋのスタイル情報１１ｋがコンテンツ記憶部１２０に供給される。こうして、コンテンツ記憶部１２０からは、編集前の動画データに合成されるスタイル画像（例えば図１Ｂ）のデータが取り出され、このスタイル画像のデータが編集部１５０に供給されるとともに、電子透かし情報作成部１４２に供給される。
【００５４】
なお、編集前の動画データおよびスタイル画像を選択するとき、それらの画像のデータが編集部１５０から表示制御部１６１に供給され、表示部１６２には、編集する動画や編集中の動画が表示され、その編集内容を確認することができる。
【００５５】
そして、編集部１５０から、これに供給された編集前の動画データと、スタイル画像のデータとが差動情報抽出部１４１に供給されて差分の画像データ（例えば、図１Ｄ）が取り出され、この差分の画像データが電子透かし情報作成部１４２に供給されて編集用の電子透かしデータＤEDT（例えば、図１Ｆ）に変換される。
【００５６】
なお、この電子透かしデータＤEDTには、(1)〜(3)項で述べたように、スタイル画像を指定する情報、ブロックＢORGのサイズを示す情報および電子透かしの合成されるブロックＢSTLの位置を示す情報が含まれる。
【００５７】
そして、この電子透かしデータＤEDTが、電子透かし処理部１４３に供給されるとともに、動画データ記憶部１３０から編集部１５０に供給されている編集前の動画データが電子透かし処理部１４３にも供給される。こうして、電子透かし処理部１４３において、編集前の動画データのうち、スタイル画像における記号ＭSTL（例えば、図１Ｂ）が位置するブロック（例えば、図１Ｇにおける斜線のブロック）に、電子透かしデータＤEDTが合成される。
【００５８】
そして、この電子透かしデータＤEDTの合成された動画データ（例えば、図１Ｇ）、すなわち、編集結果の動画データが、編集部１５０を通じて送信部１８０に供給され、送信部１８０からネットワーク３００を通じて相手の携帯電話機４００に送信される。あるいは電子透かし入り動画データが、編集部１５０を通じて動画データ記憶部１３０に供給され、保存される。
【００５９】
なお、このとき、編集部１５０から編集前の動画データにスタイル画像の合成された動画データ、すなわち、通常の編集後の動画データも取り出され、この編集後の動画データが動画データ記憶部１３０に供給され、保存される。
【００６０】
〔２−３−２〕  受信時の表示処理
相手の携帯電話機から編集結果の動画データ（例えば、図１Ｇ）が送信されてくると、これが受信部２１０により受信され、この受信された動画データが編集部１５０に供給されるとともに、動画データ記憶部１３０にも供給されて保存される。
【００６１】
また、受信部２１０により受信された動画データが、電子透かし解析部２２０に供給されて編集用データＩEDTが取り出されるとともに、電子透かし情報ＤEDTが解析され、その解析結果がスタイル情報取得部２３０に供給される。そして、スタイル情報取得部２３０において、電子透かし情報ＤEDTからスタイル情報１１ｋを指定するデータが取り出され、このスタイル情報１１ｋを指定するデータがテンプレート部１１０に供給されて対応するコンテンツデータを指定するデータに変換される。
【００６２】
そして、この変換後のデータがコンテンツ記憶部１２０に供給されてスタイル情報１１ｋが指定しているコンテンツデータが取り出され、この取り出されたコンテンツデータが編集部１５０に供給される。編集部１５０においては、受信部２１０から供給された動画データに、コンテンツ記憶部１２０から取り出されたコンテンツデータが合成され、この結果、スタイル画像の合成された編集後の動画データが形成される。
【００６３】
そして、この編集後の動画データが、編集部１５０から表示制御部１６１を通じて表示部１６２に供給され、したがって、表示部１６２には、編集後の画像が表示される。
【００６４】
なお、スタイル情報取得部２３０が取得したスタイル情報がスタイル情報１１Ｎのときには、そのスタイル情報１１Ｎに対応するコンテンツデータは送信側のユーザが設定した特定の内容のコンテンツデータでり、一般にそれらのコンテンツデータはコンテンツ記憶部１２０には存在しない。
【００６５】
そこで、そのような場合には、スタイル情報取得部２３０から編集部１５０に、スタイル情報１１Ｎに対応するコンテンツデータがコンテンツ記憶部１２０に存在しないことが通知される。すると、編集部１５０により送信部１８０を通じて送信側にスタイル情報１１Ｎに対応するコンテンツデータを送信するように指示が出される。そして、スタイル情報１１Ｎに対応するコンテンツデータが送信されてくると、このコンテンツデータは、受信部２１０からコンテンツ記憶部１２０に供給され、スタイル情報１１Ｎに対応するコンテンツデータとしてコンテンツ記憶部１２０に保存される。
【００６６】
〔２−３−３〕  非送受信時の表示処理
この場合には、操作部１５１の操作により、動画データ記憶部１３０に記憶されている動画データのうち、目的とする電子透かし入り動画データを選択する。すると、その電子透かし入り動画データが電子透かし解析部２２０に供給されて電子透かしデータＤEDTから電子透かし情報が取り出されて解析され、その解析結果の電子透かし情報がスタイル情報取得部２３０に供給される。そして、以後、〔２−３−２〕の受信時と同様の処理が行われ、表示部１６２には、編集後の画像が表示される。
【００６７】
〔３〕  まとめ
動画にスタイル画像を合成する場合、その編集前の動画に、スタイル画像を指定する情報を電子透かしの状態で付加し、その電子透かし入りの動画を編集結果とし、編集前の動画に、電子透かしで指定されるスタイル画像を合成し、編集後の動画として表示している。したがって、編集後の動画を再編集するとき、編集前の動画データを、送信側のユーザから送信してもらったり、共有のサーバからダウンロードしたりする必要がなく、手間や時間のかかることがない。
【００６８】
また、送信側のユーザが編集時に利用したスタイル画像のテンプレートを、受信側のユーザ（再編集するユーザ）が使用する場合も、送信側ユーザにテンプレートあるいはそのテンプレートを指示する情報を送信してもらう必要がない。
【００６９】
さらに、送信側のユーザが自動編集を利用した場合でも、その自動編集に使用されたテンプレートに含まれる情報を解釈したり、編集に使用されたすべての画像を、再編集するユーザに送信してもらったりする必要もなく、やはり手間のかかることがない。
【００７０】
また、その電子透かしはスタイル画像が表示される位置に含ませるようにしているので、電子透かしによる画質の低下の目立つことが少なくなる。さらに、編集後の動画データを共有サーバにアップロードすることにより、編集後の動画を多数のユーザが見ることができるとともに、編集前の動画を素材としてそれぞれのユーザが利用することもできる。
【図面の簡単な説明】
【００７１】
【図１】この発明のアウトラインを説明するための線図である。
【図２】この発明の一形態を示すフローチャートである。
【図３】この発明の一形態を説明するための線図である。
【図４】この発明の一形態を示す系統図である。
【符号の説明】
【００７２】
１００…画像編集システム、１１０…テンプレート部、１１１〜１１Ｎ…スタイル情報、１２０…コンテンツ記憶部、１２１…画像コンテンツ部、１２２…音声コンテンツ部、１２３…動画コンテンツ部、１３０…動画データ記憶部、１４０…電子透かし部、１５０…編集部、１８０…送信部、２１０…受信部、２３０…スタイル情報取得部、３００…ネットワーク、４００…相手機
【図１】
2009290413.tif 000003
【図２】
2009290413.tif 000004
【図３】
2009290413.tif 000005
【図４】
2009290413.tif 000006